【手続補正書】
【提出日】平成18年7月7日(2006.7.7)
【手続補正１】
【補正対象書類名】明細書
【補正対象項目名】発明の名称
【補正方法】変更
【補正の内容】
【発明の名称】刺しゅう縫い可能なミシン
【手続補正２】
【補正対象書類名】明細書
【補正対象項目名】特許請求の範囲
【補正方法】変更
【補正の内容】
【特許請求の範囲】
【請求項１】
刺しゅうする布を保持する刺しゅう枠と、該刺しゅう枠をミシンの針の上下動に調時して一方向であるＸ方向に移動させるＸ方向駆動装置と、該刺しゅう枠をミシンの針の上下動に調時して前記一方向であるＸ方向に略直交する他方向であるＹ方向に移動させるＹ方向駆動装置と、を備えた刺しゅう縫い可能なミシンにおいて、前記Ｘ方向駆動装置とＹ方向駆動装置の中の少なくとも１つが；駆動装置が収納された限定された範囲を該駆動装置の駆動方向に往復移動する移動体である、ベースキャリッジと、該移動体であるベースキャリッジの移動を増幅して前記刺しゅう枠に伝達し、該刺しゅう枠を前記限定された範囲以上の距離を移動させる増幅機構と、を備えたことを特徴とする刺しゅう縫い可能なミシン。
【請求項２】
刺しゅうする布を保持する刺しゅう枠と、該刺しゅう枠をミシンの針の上下動に調時して一方向であるＸ方向に移動させるＸ方向駆動装置と、該刺しゅう枠をミシンの針の上下動に調時して前記一方向であるＸ方向に略直交する他方向であるＹ方向に移動させるＹ方向駆動装置と、を備えた刺しゅう縫い可能なミシンにおいて、前記Ｘ方向駆動装置とＹ方向駆動装置の中の少なくとも１つが；限定された範囲を該駆動装置の駆動源により駆動方向に往復移動する移動体である、ベースキャリッジと、該駆動源により駆動される移動体であるベースキャリッジの移動に伴って移動し、ベースキャリッジに対して更に同一方向に移動し、これにより増幅移動を実現し、前記刺しゅう枠を前記駆動方向に前記限定された範囲以上の距離を往復移動させる移動体である、スライドキャリッジと、を備えたことを特徴とする刺しゅう縫い可能なミシン。
【請求項３】
前記スライドキャリッジが前記ベースキャリッジの移動により駆動される、請求項２に記載の刺しゅう縫い可能なミシン。
【請求項４】
前記ベースキャリッジには、前記駆動方向に離間して配設された一対のガイド輪と、該一対のガイド輪に巻き掛けられた紐状のベルトが装着され、該紐状のベルトの両端を該駆動方向に移動しないように固定し、該紐状のベルトのガイド輪間における部位に前記スライドキャリッジが連結され、該ベースキャリッジの駆動方向移動に伴って移動するガイド輪の移動により、前記紐状のベルトに連結されたスライドキャリッジがベースキャリッジの駆動方向移動に対して更に移動する、請求項２に記載の刺しゅう縫い可能なミシン。
【請求項５】
前記スライドキャリッジの駆動方向移動に伴って前記駆動方向に移動し、該スライドキャリッジのベースキャリッジからの延出部分を支持する中間支持部材を、更に備えた、請求項２に記載の刺しゅう縫い可能なミシン。
【請求項６】
前記限定された範囲が、ミシン本体のベース内部の可動範囲又はそれ以下の範囲である、請求項１又は２に記載の刺しゅう縫い可能なミシン。
【請求項７】
前記限定された範囲が前記駆動装置の大きさである、請求項１又は２に記載の刺しゅう縫い可能なミシン。
【請求項８】
前記駆動方向が、ミシン本体の奥行き方向である、請求項１又は２に記載の刺しゅう縫い可能なミシン。
【請求項９】
前記Ｘ方向駆動装置とＹ方向駆動装置とが、ミシン本体のベース内に納められている、請求項１又は２に記載の刺しゅう縫い可能なミシン。
【請求項１０】
刺しゅうする布を保持する刺しゅう枠と、該刺しゅう枠をミシンの針の上下動に調時して一方向であるＸ方向に移動させるＸ方向駆動装置と、該刺しゅう枠をミシンの針の上下動に調時して前記一方向であるＸ方向に略直交する他方向であるＹ方向に移動させるＹ方向駆動装置と、を備えた刺しゅう縫い可能なミシンにおいて、ミシン本体のベースサイズに関連して限定された範囲をＸ方向及びＹ方向に往復移動可能なベースキャリッジと、該ベースキャリッジをＸ方向及びＹ方向に往復移動させる駆動源と、該ベースキャリッジの移動に伴って移動し、且つベースキャリッジのＹ方向移動により駆動され、該ベースキャリッジに対して更にＹ方向に往復移動し、前記刺しゅう枠を前記駆動方向に前記限定された範囲以上の距離を移動させる、スライドキャリッジと、を備えたことを特徴とする刺しゅう縫い可能なミシン。
【請求項１１】
前記ベースキャリッジには、Ｙ方向に離間して配設された一対のガイド輪と、該ガイド輪に巻き掛けられた紐状のベルトが装着され、該紐状のベルトの両端をＹ方向に移動しないように固定し、該紐状のベルトのガイド輪間における部位に前記スライドキャリッジが連結され、該ベースキャリッジのＹ方向移動に伴って移動するガイド輪の移動により、前記紐状のベルトに連結されたスライドキャリッジがベースキャリッジに対して更にＹ方向に移動する、請求項１０に記載の刺しゅう縫い可能なミシン。
【請求項１２】
前記スライドキャリッジのＹ方向の移動に伴って移動し、該スライドキャリッジのベースキャリッジからの延出部分を支持する中間支持部材を更に備えた、請求項１０に記載の刺しゅう縫い可能なミシン。
【請求項１３】
前記中間支持部材の移動量は前記スライドキャリッジの移動量よりも少ない、請求項１０に記載の刺しゅう縫い可能なミシン。
【手続補正３】
【補正対象書類名】明細書
【補正対象項目名】０００７
【補正方法】変更
【補正の内容】
【０００７】
【課題を解決するための手段】
そこで発明者は、前記課題を解決すべく、鋭意，研究を重ねた結果、本発明を、刺しゅうする布を保持する刺しゅう枠と、該刺しゅう枠をミシンの針の上下動に調時して一方向であるＸ方向に移動させるＸ方向駆動装置と、該刺しゅう枠をミシンの針の上下動に調時して前記一方向であるＸ方向に略直交する他方向であるＹ方向に移動させるＹ方向駆動装置と、を備えた刺しゅう縫い可能なミシンにおいて、前記Ｘ方向駆動装置とＹ方向駆動装置の中の少なくとも１つが；駆動装置が収納された限定された範囲を該駆動装置の駆動方向に往復移動する移動体である、ベースキャリッジと、該移動体であるベースキャリッジの移動を増幅して前記刺しゅう枠に伝達し、該刺しゅう枠を前記限定された範囲以上の距離を移動させる増幅機構と、を備えたことを特徴とする刺しゅう縫い可能なミシン、としたことにより、前記課題を解決し、その目的を達成したものである。
また本発明を、刺しゅうする布を保持する刺しゅう枠と、該刺しゅう枠をミシンの針の上下動に調時して一方向であるＸ方向に移動させるＸ方向駆動装置と、該刺しゅう枠をミシンの針の上下動に調時して前記一方向であるＸ方向に略直交する他方向であるＹ方向に移動させるＹ方向駆動装置と、を備えた刺しゅう縫い可能なミシンにおいて、前記Ｘ方向駆動装置とＹ方向駆動装置の中の少なくとも１つが；限定された範囲を該駆動装置の駆動源により駆動方向に往復移動する移動体である、ベースキャリッジと、該駆動源により駆動される移動体であるベースキャリッジの移動に伴って移動し、ベースキャリッジに対して更に同一方向に移動し、これにより増幅移動を実現し、前記刺しゅう枠を前記駆動方向に前記限定された範囲以上の距離を往復移動させる移動体である、スライドキャリッジと、を備えたことを特徴とする刺しゅう縫い可能なミシン、としたことにより、前記課題を解決し、その目的を達成したものである。
また、本発明の刺しゅう縫い可能ミシンは、前記スライドキャリッジが前記ベースキャリッジの移動により駆動されるようにしたことを特徴としている。
また、本発明の刺しゅう縫い可能ミシンは、前記ベースキャリッジには、前記駆動方向に離間して配設された一対のガイド輪と、該一対のガイド輪に巻き掛けられた紐状のベルトが装着され、該紐状のベルトの両端を該駆動方向に移動しないように固定し、該紐状のベルトのガイド輪間における部位に前記スライドキャリッジが連結され、該ベースキャリッジの駆動方向移動に伴って移動するガイド輪の移動により、前記紐状のベルトに連結されたスライドキャリッジがベースキャリッジの駆動方向移動に対して更に移動するようにしたことを特徴としている。
また、本発明の刺しゅう縫い可能ミシンは、前記スライドキャリッジの駆動方向移動に伴って前記駆動方向に移動し、該スライドキャリッジのベースキャリッジからの延出部分を支持する中間支持部材を、更に備えるようにしたことを特徴としている。
また、本発明の刺しゅう縫い可能ミシンは、前記限定された範囲が、ミシン本体のベース内部の可動範囲又はそれ以下の範囲であるようにしたことを特徴としている。
また、本発明の刺しゅう縫い可能ミシンは、前記限定された範囲が前記駆動装置の大きさであるようにしたことを特徴としている。
また、本発明の刺しゅう縫い可能ミシンは、前記駆動方向が、ミシン本体の奥行き方向であるようにしたことを特徴としている。
また、本発明の刺しゅう縫い可能ミシンは、前記Ｘ方向駆動装置とＹ方向駆動装置とが、ミシン本体のベース内に納められているようにしたことを特徴としている。
また本発明は、刺しゅうする布を保持する刺しゅう枠と、該刺しゅう枠をミシンの針の上下動に調時して一方向であるＸ方向に移動させるＸ方向駆動装置と、該刺しゅう枠をミシンの針の上下動に調時して前記一方向であるＸ方向に略直交する他方向であるＹ方向に移動させるＹ方向駆動装置と、を備えた刺しゅう縫い可能なミシンにおいて、ミシン本体のベースサイズに関連して限定された範囲をＸ方向及びＹ方向に往復移動可能なベースキャリッジと、該ベースキャリッジをＸ方向及びＹ方向に往復移動させる駆動源と、該ベースキャリッジの移動に伴って移動し、且つベースキャリッジのＹ方向移動により駆動され、該ベースキャリッジに対して更にＹ方向に往復移動し、前記刺しゅう枠を前記駆動方向に前記限定された範囲以上の距離を移動させる、スライドキャリッジと、を備えたことを特徴とする刺しゅう縫い可能なミシンとすることにより、ミシンの機枠内にあるスペースを有効に使用し、且つ刺しゅう縫いの範囲を従来タイプのものよりもより一層広くすることができ、前記課題を解決し、その目的を達成したものである。
また、本発明の刺しゅう縫い可能ミシンは、前記ベースキャリッジには、Ｙ方向に離間して配設された一対のガイド輪と、該ガイド輪に巻き掛けられた紐状のベルトが装着され、該紐状のベルトの両端をＹ方向に移動しないように固定し、該紐状のベルトのガイド輪間における部位に前記スライドキャリッジが連結され、該ベースキャリッジのＹ方向移動に伴って移動するガイド輪の移動により、前記紐状のベルトに連結されたスライドキャリッジがベースキャリッジに対して更にＹ方向に移動するようにしたことを特徴としている。
また、本発明の刺しゅう縫い可能ミシンは、  前記スライドキャリッジのＹ方向の移動に伴って移動し、該スライドキャリッジのベースキャリッジからの延出部分を支持する中間支持部材を更に備えるようにしたことを特徴としている。
また、本発明の刺しゅう縫い可能ミシンは、  前記中間支持部材の移動量は前記スライドキャリッジの移動量よりも少ないようにしたことを特徴としている。
これらの解決するための手段により、本発明は課題を解決し、その目的を達成したものである。